(57)【要約】【課題】  測定色パッチの数を多くしつつ、面内ムラに起因する濃度変動の影響を良好に抑制して、キャリブレーションの精度を良好とする。【解決手段】  このパッチチャートは、複数の測定色パッチと、測定色パッチによる測定値を補正するための複数の基準パッチとを備える。複数の測定色パッチは、当該パッチチャート内の複数の基準パッチ以外の位置に配置され、複数の基準パッチは、基準パッチが主走査方向または副走査方向において連続しないように、かつ主走査方向および副走査方向においてそれぞれ３パッチ以上の所定の周期で配列される。【選択図】  図２
2015070398.tif 000002
【特許請求の範囲】
【請求項１】
２次元的にパッチが配列されるパッチチャートにおいて、
複数の測定色パッチと、
前記測定色パッチによる測定値を補正するための複数の基準パッチとを備え、
前記複数の測定色パッチは、当該パッチチャート内の前記複数の基準パッチ以外の位置に配置され、
前記複数の基準パッチは、前記基準パッチが主走査方向または副走査方向において連続しないように、かつ主走査方向および副走査方向においてそれぞれ３パッチ以上の所定の周期で配列されること、
を特徴とするパッチチャート。
【請求項２】
前記基準パッチの濃度は、一定であり、かつ５０パーセントであることを特徴とする請求項１記載のパッチチャート。
【請求項３】
前記複数の基準パッチは、主走査方向および副走査方向に対して傾斜して等間隔に配置されていることを特徴とする請求項１記載のパッチチャート。
【請求項４】
請求項１から請求項３のうちのいずれか１項記載のパッチチャートをキャリブレーション対象の画像形成装置に印刷させ、
前記パッチチャート内の前記測定色パッチおよび前記基準パッチを測色し、
前記測定色パッチの周辺の複数の前記基準パッチの測色値から前記測定色パッチの位置での前記基準パッチの測色値の内挿値を特定し、
前記基準パッチの測色値の変動量と前記測定色パッチの位置での測色値の変動量との関係を示す変換データに基づいて、前記内挿値と前記基準パッチの標準測色値との誤差に対応する、前記測定色パッチの位置での測色値の変動量を特定し、
前記特定した変動量だけ前記測定色パッチの測色値を補正し、
補正した前記測定色パッチの測色値でキャリブレーションを行うこと、
を特徴とするキャリブレーション方法。
【請求項５】
請求項１から請求項３のうちのいずれか１項記載のパッチチャートをキャリブレーション対象の画像形成装置に印刷させるためのチャートデータを生成することを特徴とするチャートデータ生成装置。
【発明の詳細な説明】
【技術分野】
【０００１】
本発明は、パッチチャート、キャリブレーション方法、およびチャートデータ生成装置に関するものである。
【背景技術】
【０００２】
あるキャリブレーション方法では、キャリブレーション対象の画像形成装置にパッチチャートを印刷させ、印刷されたパッチチャートを測色し、その測色結果に基づいてキャリブレーションを行っている（例えば特許文献１参照）。
【０００３】
そのようなチャートにおいて、測定パッチの周辺に基準パッチを配し、基準パッチの測色値に基づいて、測定パッチの測色値を補正する方法が提案されている（例えば特許文献２参照）。
【先行技術文献】
【特許文献】
【０００４】
【特許文献１】特開２００９−２１３００５号公報
【特許文献２】特開２００９−２１９０７０号公報
【発明の概要】
【発明が解決しようとする課題】
【０００５】
しかしながら、上述の基準パッチを使用する方法においては、基準パッチと測定パッチとの間に隙間があるとともに、基準パッチの面積が大きいため、１枚のパッチチャートに含めることのできる測定色パッチの数が少なくなってしまう。また、電子写真方式の画像形成装置では、上述の隙間の両端（つまり、測定パッチおよび基準パッチのエッジ）においてエッジ効果が大きくなり、キャリブレーションの精度が低くなってしまう。特に、使用環境などに起因して面内ムラが発生している画像形成装置においては、面内ムラの濃度変動分が補正されずに、キャリブレーションの精度が低くなってしまう。
【０００６】
本発明は、上記の問題に鑑みてなされたものであり、測定色パッチの数を多くしつつ、面内ムラに起因する濃度変動の影響を良好に抑制することができ、ひいては、キャリブレーションの精度が良好となるパッチチャート、そのパッチチャートを使用するキャリブレーション方法、およびそのパッチチャートのデータを生成するチャートデータ生成装置を得ることを目的とする。
【課題を解決するための手段】
【０００７】
本発明に係るパッチチャートは、複数の測定色パッチと、前記測定色パッチによる測定値を補正するための複数の基準パッチとを備える。前記複数の測定色パッチは、当該パッチチャート内の前記複数の基準パッチ以外の位置に配置され、前記複数の基準パッチは、前記基準パッチが主走査方向または副走査方向において連続しないように、かつ主走査方向および副走査方向においてそれぞれ３パッチ以上の所定の周期で配列される。
【０００８】
本発明に係るキャリブレーション方法は、前記パッチチャートをキャリブレーション対象の画像形成装置に印刷させ、前記パッチチャート内の前記測定色パッチおよび前記基準パッチを測色し、前記測定色パッチの周辺の複数の前記基準パッチの測色値から前記測定色パッチの位置での前記基準パッチの測色値の内挿値を特定し、前記基準パッチの測色値の変動量と前記測定色パッチの位置での測色値の変動量との関係を示す変換データに基づいて、前記内挿値と前記基準パッチの標準測色値との誤差に対応する、前記測定色パッチの位置での測色値の変動量を特定し、前記特定した変動量だけ前記測定色パッチの測色値を補正し、補正した前記測定色パッチの測色値でキャリブレーションを行う。
【０００９】
本発明に係るチャートデータ生成装置は、前記パッチチャートをキャリブレーション対象の画像形成装置に印刷させるためのチャートデータを生成する。
【発明の効果】
【００１０】
本発明によれば、測定色パッチの数を多くしつつ、面内ムラに起因する濃度変動の影響を良好に抑制することができ、ひいては、キャリブレーションの精度が良好となるパッチチャート、そのパッチチャートを使用するキャリブレーション方法、およびそのパッチチャートのデータを生成するチャートデータ生成装置が得られる。
【図面の簡単な説明】
【００１１】
【図１】図１は、本発明の実施の形態に係るパッチチャートのデータを生成するチャートデータ生成装置およびキャリブレーション対象の画像形成装置を含むシステムの構成を示すブロック図である。
【図２】図２は、本発明の実施の形態に係るパッチチャートの一例を示す図である。
【図３】図３、図２に示すパッチチャートにおける基準パッチの配置位置について説明する図である。
【図４】図４は、本発明の実施の形態に係るパッチチャートを使用した画像形成装置２のキャリブレーションについて説明するフローチャートである。
【図５】図５は、実施の形態１における内挿値の計算について説明する図である。
【図６】図６は、実施の形態２に係るパッチチャートの一例の一部を示す図である。
【図７】図７は、実施の形態２における内挿値の計算について説明する図である。
【図８】図８は、実施の形態３に係るパッチチャートの一例の一部を示す図である。
【図９】図９は、本発明の実施の形態に係るパッチチャートの他の例を示す図である。
【発明を実施するための形態】
【００１２】
以下、図に基づいて本発明の実施の形態を説明する。
【００１３】
実施の形態１．
【００１４】
図１は、本発明の実施の形態に係るパッチチャートのデータを生成するチャートデータ生成装置およびキャリブレーション対象の画像形成装置を含むシステムの構成を示すブロック図である。
【００１５】
図１において、チャートデータ生成装置１は、パッチチャートデータを生成するチャートデータ生成部１１と、チャートデータ生成部１１により生成されたパッチチャートデータを記憶するチャートデータ記憶部１２と、通信装置１３とを備える。チャートデータ生成部１１は、コンピューターなどで構成され、チャートデータ記憶部１２は、揮発性メモリーまたは不揮発性メモリーで構成される。通信装置１３は、ネットワークインターフェイスまたは周辺機器インターフェイスであり、パッチチャートデータを画像形成装置２に送信するのに使用される。
【００１６】
チャートデータ生成部１１により生成されるパッチチャートデータは、本発明の実施の形態に係るパッチチャートの印刷用データである。
【００１７】
図２は、本発明の実施の形態に係るパッチチャートの一例を示す図である。図２に示すように、実施の形態１におけるパッチチャートは、２次元的にパッチが配列されており、複数の測定色パッチと、測定色パッチによる測定値を補正するための複数の基準パッチとを備える。複数の測定色パッチは、当該パッチチャート内の複数の基準パッチ以外の位置に配置されており、複数の基準パッチは、基準パッチが主走査方向または副走査方向において連続しないように、かつ主走査方向および副走査方向においてそれぞれ３パッチ以上の所定の周期（ここでは、３パッチ周期）で配列される。
【００１８】
したがって、図２における破線で示すように、複数の基準パッチは、主走査方向および副走査方向に対して傾斜して配置されている。
【００１９】
例えば、パッチチャートは、キャリブレーション対象となる画像形成装置２のトナー色のそれぞれについて生成される。
【００２０】
また、複数の基準パッチの濃度は、一定であり、かつ最大濃度の５０パーセントとされる。例えば、最大濃度の画素値が２５５である場合、基準パッチの画素値は１２８とされる。
【００２１】
複数の測定色パッチの濃度は、所定の階調値とされ、例えば、最低濃度０％から最大濃度１００％までをＮ等分（３２等分、６４等分、２５５等分など）して得られる。また、１つの濃度を１つの測定色パッチに割り当ててもよいし、複数の測定色パッチに割り当ててもよい。
【００２２】
また、複数の測定色パッチは、ランダムに配列させてもよいし、主走査方向および副走査方向に沿って濃度の降順または昇順で配列させてもよいし、主走査方向および副走査方向に沿って濃度の降順と昇順とを交互に選択して配列させてもよい。
【００２３】
図３は、図２に示すパッチチャートにおける基準パッチの配置位置について説明する図である。
【００２４】
例えば、図３に示すように、チャートデータ生成部１１は、主走査方向および副走査方向に沿って、主走査方向および副走査方向に沿って、所定画素数を単位としてパッチの位置を示す座標｛ｘ，ｙ｝（ｘ，ｙは整数）において、｛ｍｏｄ（ｘ，３），ｍｏｄ（ｙ，３））＝｛１，１｝，｛０，２｝，｛２，０｝の位置には基準パッチを配置し、それ以外の位置には測定色パッチを配置するようにして、パッチチャートデータを生成する。なお、基準パッチの配置位置の特定方法は、この方法に限定されるものではなく種々の方法を採用可能である。
【００２５】
画像形成装置２は、電子写真方式で画像を用紙に印刷する印刷装置２１、コントローラー２２、通信装置２３、記憶装置２４などを有する。コントローラー２２は、不揮発性の記憶装置２４に記憶されている特性データ２５（色変換テーブルなど）に基づいて、印刷用データから印刷画像の画像データを生成し、印刷装置２１に、その画像データに基づく画像を印刷させる。通信装置２３は、ネットワークインターフェイスまたは周辺機器インターフェイスであり、パッチチャートデータなどの印刷用データを受信するのに使用される。
【００２６】
測定値補正装置３は、入出力部３１、測定値補正部３２、記憶装置３３などを有する。入出力部３１は、ネットワークインターフェイス、周辺機器インターフェイスなどであり、各種データの入力および出力を行う。入出力部３１は、上述の画像形成装置２により印刷されたパッチチャートの測色結果の入力およびその測色結果を補正して得られる測色データの出力に使用される。測定値補正部３２は、コンピューターなどで構成され、不揮発性の記憶装置３３に記憶されている変換データ３４で、上述の画像形成装置２により印刷されたパッチチャートの測色結果を補正する。
【００２７】
変換データ３４は、面内ムラに起因する基準パッチの測色値の変動量と測定色パッチの位置での測色値の変動量との関係を示すデータであり、面内ムラのない画像形成装置による測色結果と面内ムラのある画像形成装置による測色結果とから予め導出される。
【００２８】
ここで、変換データ３４の導出について説明する。
【００２９】
主走査方向および副走査方向に沿って、所定画素数を単位としてパッチの位置を示す座標｛ｘ，ｙ｝（ｘ，ｙは整数）において、ｘおよびｙの一方が奇数であり他方が偶数である位置には、上述の基準パッチを配置し、基準パッチ以外の領域（以下、非基準パッチ部という）の濃度を、０％から１００％まで離散的に設定した、それぞれのチャートを、面内ムラのない画像形成装置と面内ムラのある画像形成装置とで印刷させる。なお、非基準パッチ部の濃度は、等間隔に変化させてもよいし、例えば０％、１０％、２０％、４０％、６０％、８０％、９０％、および１００％などと異なる間隔で変化させてもよい。
【００３０】
各濃度について、面内ムラに起因する基準パッチの測色値の変動量、および、非基準パッチ部内の、上述のパッチチャートでその基準パッチに隣接する測定色パッチの位置での測色値の変動量を特定し、この基準パッチの測色値の変動量と、測定色パッチの位置での測色値の変動量との対応関係を、ルックアップテーブル、計算式などで表現された変換データ３４とする。
【００３１】
このようにして、変換データ３４が生成される。
【００３２】
また、このとき、全面に、上述のパッチチャートの基準パッチの配置位置のみに、または、上述の変換データ３４作成用パッチチャートの基準パッチの配置位置のみに、基準パッチのみを配置したチャートを、面内ムラのない画像形成装置で印刷し、そのチャート内の基準パッチの測色結果から標準測色値を特定する。例えば、そのチャート内の基準パッチの測色値の加算平均、相乗平均、測色値のヒストグラムにおける最頻値などが標準測色値とされる。
【００３３】
なお、ここでは、チャートデータ生成装置１および測定値補正装置３は、画像形成装置２とは別の装置となっているが、チャートデータ生成装置１および測定値補正装置３の上述の機能を、画像形成装置２に内蔵させるようにしてもよい。
【００３４】
次に、上述のパッチチャートを使用した画像形成装置２のキャリブレーションについて説明する。図４は、本発明の実施の形態に係るパッチチャートを使用した画像形成装置２のキャリブレーションについて説明するフローチャートである。
【００３５】
まず、上述のチャートデータ生成装置１でパッチチャートデータが生成され（ステップＳ１）、そのパッチチャートデータが画像形成装置２に送信され、画像形成装置２によりパッチチャートデータに基づくパッチチャートが印刷される（ステップＳ２）。
【００３６】
次に、印刷されたパッチチャートが図示せぬ測色計（分光測色計、濃度系など）で測色される（ステップＳ３）。これにより、各パッチの濃度値、ＣＩＥＸＹＺ値、ＬＡＢ値、分光スペクトラムなどが得られる。
【００３７】
この測色結果が、測定値補正装置３に入力され、測色値補正部３２により補正される（ステップＳ４）。
【００３８】
具体的には、測色結果に基づき、測色値補正部３２は、測定色パッチの周辺の複数の基準パッチの測色値から測定色パッチの位置での基準パッチの測色値の内挿値を特定し、変換データ３４に基づいて、その内挿値とその基準パッチの標準測色値との誤差に対応する、測定色パッチの位置での測色値の変動量を特定し、特定した変動量だけ測定色パッチの測色値を補正する。
【００３９】
図５は、実施の形態１における内挿値の計算について説明する図である。
【００４０】
図５に示すように、例えば測色結果が３次元データである場合、上、右、左下に基準パッチ１１１，１１２，１１３が隣接している測定色パッチ１０１（｛ｍｏｄ（ｘ，３），ｍｏｄ（ｙ，３）｝＝｛１，０｝，｛２，２｝，｛０，１｝のパッチ）について、上述の内挿値は、次式で計算される。
【００４１】
｛Ｘａ，Ｙａ，Ｚａ｝＝（｛Ｘｕｐ，Ｙｕｐ，Ｚｕｐ｝＋｛Ｘｒｉｇｈｔ，Ｙｒｉｇｈｔ，Ｚｒｉｇｈｔ｝＋｛Ｘｌｅｆｔ−ｄｏｗｎ，Ｙｌｅｆｔ−ｄｏｗｎ，Ｚｌｅｆｔ−ｄｏｗｎ｝）／３
【００４２】
また、右上、左、下に基準パッチ１１２，１１３，１１４が隣接している測定色パッチ１０２（｛ｍｏｄ（ｘ，３），ｍｏｄ（ｙ，３）｝＝｛１，２｝，｛２，１｝，｛０，０｝のパッチ）について、上述の内挿値は、次式で計算される。
【００４３】
｛Ｘａ，Ｙａ，Ｚａ｝＝（｛Ｘｒｉｇｈｔ−ｕｐ，Ｙｒｉｇｈｔ−ｕｐ，Ｚｒｉｇｈｔ−ｕｐ｝＋｛Ｘｌｅｆｔ，Ｙｌｅｆｔ，Ｚｌｅｆｔ｝＋｛Ｘｄｏｗｎ，Ｙｄｏｗｎ，Ｚｄｏｗｎ｝）／３
【００４４】
なお、上記の式において、｛Ｘａ，Ｙａ，Ｚａ｝は内挿値であり、｛Ｘｒｉｇｈｔ，Ｙｒｉｇｈｔ，Ｚｒｉｇｈｔ｝は測定色パッチの右側の基準パッチの測色値であり、｛Ｘｌｅｆｔ，Ｙｌｅｆｔ，Ｚｌｅｆｔ｝は測定色パッチの左側の基準パッチの測色値であり、｛Ｘｕｐ，Ｙｕｐ，Ｚｕｐ｝は測定色パッチの上側の基準パッチの測色値であり、｛Ｘｄｏｗｎ，Ｙｄｏｗｎ，Ｚｄｏｗｎ｝は測定色パッチの下側の基準パッチの測色値である。さらに、｛Ｘｒｉｇｈｔ−ｕｐ，Ｙｒｉｇｈｔ−ｕｐ，Ｚｒｉｇｈｔ−ｕｐ｝は測定色パッチの右上に隣接する基準パッチの測色値であり、｛Ｘｌｅｆｔ−ｄｏｗｎ，Ｙｌｅｆｔ−ｄｏｗｎ，Ｚｌｅｆｔ−ｄｏｗｎ｝は測定色パッチの左下に隣接する基準パッチの測色値である。
【００４５】
また、内挿値は、加算平均以外でもよく、例えば、測色結果がＣＩＥＸＹＺ値などのようにすべて正値のデータである場合には、幾何平均としてもよい。
【００４６】
そして、測定値補正装置３から補正後の測定色パッチの測色値を含む測色データを出力させ、この測色データに基づき、画像形成装置２の特性データ２５が更新される（ステップＳ５）。なお、この測色データに基づき、画像形成装置２のコントローラー２２が特性データ２５を更新してもよいし、画像形成装置２以外の装置で、この測色データから新たな特性データを生成し、生成した特性データで、画像形成装置２内の特性データ２５を更新してもよい。
【００４７】
以上のように、上記実施の形態１に係るパッチチャートは、複数の測定色パッチと、測定色パッチによる測定値を補正するための複数の基準パッチとを備える。複数の測定色パッチは、当該パッチチャート内の複数の基準パッチ以外の位置に配置され、複数の基準パッチは、基準パッチが主走査方向または副走査方向において連続しないように、かつ主走査方向および副走査方向においてそれぞれ３パッチ以上の所定の周期で配列される。
【００４８】
これにより、パッチチャート内の測定色パッチの数を多くしつつ、面内ムラに起因する濃度変動の影響を良好に抑制することができ、ひいては、画像形成装置のキャリブレーションの精度が良好になる。
【００４９】
特に、図５に示すように、内挿値の計算に使用する基準パッチが、主走査方向または副走査方向に沿って並んでいないため、面内ムラの濃度変動の方向が主走査方向または副走査方向であっても濃度変動分が良好にキャンセルされる。
【００５０】
実施の形態２．
【００５１】
実施の形態２に係るパッチチャートは、実施の形態１に係るパッチチャートとは異なる基準パッチの配列を有する。
【００５２】
図６は、実施の形態２に係るパッチチャートの一例の一部を示す図である。
【００５３】
実施の形態２では、図６に示すように、チャートデータ生成部１１は、主走査方向および副走査方向に沿って、主走査方向および副走査方向に沿って、所定画素数を単位としてパッチの位置を示す座標｛ｘ，ｙ｝（ｘ，ｙは整数）において、｛ｍｏｄ（ｘ，８），ｍｏｄ（ｙ，８））＝｛１，１｝，｛２，４｝，｛３，７｝，｛４，２｝，｛５，５｝，｛６，８｝，｛７，３｝，｛０，６｝の位置には基準パッチを配置し、それ以外の位置には測定色パッチを配置するようにして、パッチチャートデータを生成する。このパッチチャートでは、基準パッチは、主走査方向および副走査方向のそれぞれにおいて８パッチ周期で配列されている。
【００５４】
実施の形態２では、図６に示すように、複数の基準パッチは、主走査方向および副走査方向に対して傾斜して等間隔に配置されている。
【００５５】
ここで、実施の形態２における内挿値の計算について説明する。図７は、実施の形態２における内挿値の計算について説明する図である。
【００５６】
図７に示すように、例えば測色結果が３次元データである場合、左に基準パッチ２１２が隣接している測定色パッチ２０１（｛ｍｏｄ（ｘ，８），ｍｏｄ（ｙ，８）｝＝｛１，６｝，｛２，１｝，｛３，４｝，｛４，７｝，｛５，２｝，｛６，５｝，｛７，０｝，｛０，３｝のパッチ）について、上述の内挿値は、周辺の３つの基準パッチ２１２，２１４，２１１および測定色パッチ２０１の中心をそれぞれＡ，Ｂ，Ｃ，Ｏとしたときの三角形ＯＢＣ、三角形ＯＡＣおよび三角形ＯＡＢの面積比０．６２５：０．１２５：０．２５に基づき、次式で計算される。
【００５７】
｛Ｘａ，Ｙａ，Ｚａ｝＝０．６２５×｛Ｘ１，Ｙ１，Ｚ１｝＋０．１２５×｛Ｘ２，Ｙ２，Ｚ２｝＋０．２５×｛Ｘ３，Ｙ３，Ｚ３｝
【００５８】
ここで、｛Ｘ１，Ｙ１，Ｚ１｝は、基準パッチ２１２の測色値であり、｛Ｘ２，Ｙ２，Ｚ２｝は、基準パッチ２１４の測色値であり、｛Ｘ３，Ｙ３，Ｚ３｝は、基準パッチ２１１の測色値である。
【００５９】
また、右上に基準パッチ２１１が隣接している測定色パッチ２０２（｛ｍｏｄ（ｘ，８），ｍｏｄ（ｙ，８）｝＝｛１，３｝，｛２，６｝，｛３，１｝，｛４，４｝，｛５，７｝，｛６，２｝，｛７，５｝，｛０，０｝のパッチ）について、上述の内挿値は、測定色パッチ２０２の中心をＯとしたときの三角形ＯＢＣ、三角形ＯＡＣおよび三角形ＯＡＢの面積比０．２５：０．２５：０．５に基づき、次式で計算される。
【００６０】
｛Ｘａ，Ｙａ，Ｚａ｝＝０．２５×｛Ｘ１，Ｙ１，Ｚ１｝＋０．２５×｛Ｘ２，Ｙ２，Ｚ２｝＋０．５×｛Ｘ３，Ｙ３，Ｚ３｝
【００６１】
また、左上および右下に基準パッチ２１２，２１４が隣接している測定色パッチ２０３（｛ｍｏｄ（ｘ，８），ｍｏｄ（ｙ，８）｝＝｛１，５｝，｛２，０｝，｛３，３｝，｛４，６｝，｛５，１｝，｛６，４｝，｛７，７｝，｛０，２｝のパッチ）について、上述の内挿値は、測定色パッチ２０３の中心をＯとしたときの三角形ＯＢＣ、三角形ＯＡＣおよび三角形ＯＡＢの面積比０．５：０．５：０に基づき、次式で計算される。
【００６２】
｛Ｘａ，Ｙａ，Ｚａ｝＝０．５×｛Ｘ１，Ｙ１，Ｚ１｝＋０．５×｛Ｘ２，Ｙ２，Ｚ２｝
【００６３】
また、下に基準パッチ２１４が隣接している測定色パッチ２０４（｛ｍｏｄ（ｘ，８），ｍｏｄ（ｙ，８）｝＝｛１，２｝，｛２，５｝，｛３，０｝，｛４，３｝，｛５，６｝，｛６，１｝，｛７，４｝，｛０，７｝のパッチ）について、上述の内挿値は、測定色パッチ２０４の中心をＯとしたときの三角形ＯＢＣ、三角形ＯＡＣおよび三角形ＯＡＢの面積比０．１２５：０．６２５：０．２５に基づき、次式で計算される。
【００６４】
｛Ｘａ，Ｙａ，Ｚａ｝＝０．１２５×｛Ｘ１，Ｙ１，Ｚ１｝＋０．６２５×｛Ｘ２，Ｙ２，Ｚ２｝＋０．２５×｛Ｘ３，Ｙ３，Ｚ３｝
【００６５】
さらに、上に基準パッチ２１１が隣接している測定色パッチ２０５（｛ｍｏｄ（ｘ，８），ｍｏｄ（ｙ，８）｝＝｛１，０｝｛２，３｝，｛３，６｝，｛４，１｝，｛５，４｝，｛６，７｝，｛７，２｝，｛０，５｝のパッチ）について、上述の内挿値は、基準パッチ２１３および測定色パッチ２０５の中心をＤ，Ｏとしたときの三角形ＯＢＣ、三角形ＯＤＣおよび三角形ＯＤＢの面積比０．１２５：０．２５：０．６２５に基づき、次式で計算される。
【００６６】
｛Ｘａ，Ｙａ，Ｚａ｝＝０．１２５×｛Ｘ４，Ｙ４，Ｚ４｝＋０．２５×｛Ｘ２，Ｙ２，Ｚ２｝＋０．６２５×｛Ｘ３，Ｙ３，Ｚ３｝
【００６７】
ここで、｛Ｘ４，Ｙ４，Ｚ４｝は、基準パッチ２１３の測色値である。
【００６８】
また、左下に基準パッチ２１４が隣接している測定色パッチ２０６（｛ｍｏｄ（ｘ，８），ｍｏｄ（ｙ，８）｝＝｛１，７｝｛２，２｝，｛３，５｝，｛４，０｝，｛５，３｝，｛６，６｝，｛７，１｝，｛０，４｝のパッチ）について、上述の内挿値は、測定色パッチ２０６の中心をＯとしたときの三角形ＯＢＣ、三角形ＯＤＣおよび三角形ＯＤＢの面積比０．５：０．２５：０．２５に基づき、次式で計算される。
【００６９】
｛Ｘａ，Ｙａ，Ｚａ｝＝０．５×｛Ｘ４，Ｙ４，Ｚ４｝＋０．２５×｛Ｘ２，Ｙ２，Ｚ２｝＋０．２５×｛Ｘ３，Ｙ３，Ｚ３｝
【００７０】
また、右に基準パッチ２１３が隣接している測定色パッチ２０７（｛ｍｏｄ（ｘ，８），ｍｏｄ（ｙ，８）｝＝｛１，４｝，｛２，７｝｛３，２｝，｛４，５｝，｛５，０｝，｛６，３｝，｛７，６｝，｛０，１｝のパッチ）について、上述の内挿値は、測定色パッチ２０７の中心をＯとしたときの三角形ＯＢＣ、三角形ＯＤＣおよび三角形ＯＤＢの面積比０．６２５：０．２５：０．１２５に基づき、次式で計算される。
【００７１】
｛Ｘａ，Ｙａ，Ｚａ｝＝０．６２５×｛Ｘ４，Ｙ４，Ｚ４｝＋０．２５×｛Ｘ２，Ｙ２，Ｚ２｝＋０．１２５×｛Ｘ３，Ｙ３，Ｚ３｝
【００７２】
なお、実施の形態２に係るパッチチャート、キャリブレーション方法、およびチャートデータ生成装置１のその他の構成については実施の形態１のものと同様であるので、その説明を省略する。
【００７３】
実施の形態３．
【００７４】
実施の形態３に係るパッチチャートは、実施の形態１，２に係るパッチチャートとは異なる基準パッチの配列を有する。
【００７５】
図８は、実施の形態３に係るパッチチャートの一例の一部を示す図である。
【００７６】
実施の形態３では、図８に示すように、チャートデータ生成部１１は、主走査方向および副走査方向に沿って、主走査方向および副走査方向に沿って、所定画素数を単位としてパッチの位置を示す座標｛ｘ，ｙ｝（ｘ，ｙは整数）において、｛ｍｏｄ（ｘ，１５），ｍｏｄ（ｙ，１５））＝｛１，１｝，｛２，５｝，｛３，９｝，｛４，１３｝，｛５，２｝，｛６，６｝，｛７，１０｝，｛８，１４｝，｛９，３｝，｛１０，７｝，｛１１，１１｝，｛１２，０｝，｛１３，４｝，｛１４，８｝，｛０，１２｝の位置には基準パッチを配置し、それ以外の位置には測定色パッチを配置するようにして、パッチチャートデータを生成する。このパッチチャートでは、基準パッチは、主走査方向および副走査方向のそれぞれにおいて１５パッチ周期で配列されている。
【００７７】
実施の形態３では、図８に示すように、複数の基準パッチは、主走査方向および副走査方向に対して傾斜して等間隔に配置されている。
【００７８】
実施の形態３における内挿値の計算については、実施の形態２と同様に、測定色パッチからの距離が最も近い周辺の３つの基準パッチの中心および測定色パッチの中心が形成する三角形の面積比、および基準パッチの測色値に基づいて行われる。
【００７９】
なお、実施の形態３に係るパッチチャート、キャリブレーション方法、およびチャートデータ生成装置１のその他の構成については実施の形態１または実施の形態２のものと同様であるので、その説明を省略する。
【００８０】
なお、上述の各実施の形態は、本発明の好適な例であるが、本発明は、これらに限定されるものではなく、本発明の要旨を逸脱しない範囲において、種々の変形、変更が可能である。
【００８１】
例えば、上述の実施の形態１〜３に係るパッチチャートでは、測定色パッチからの距離が最も近い周辺の３つの基準パッチの中心が形成する三角形の各辺が主走査方向および副走査方向のいずれとも平行ではないが、測定色パッチからの距離が最も近い周辺の３つの基準パッチの中心が形成する三角形の１辺のみ、主走査方向または副走査方向と平行となってもよい。図９は、本発明の実施の形態に係るパッチチャートの他の例を示す図である。例えば図９に示すパッチチャートでは、測定色パッチからの距離が最も近い周辺の３つの基準パッチの中心が形成する三角形の１辺が、副走査方向と平行となっている。
【産業上の利用可能性】
【００８２】
本発明は、例えば、画像形成装置における濃度、色などのキャリブレーションに適用可能である。
【符号の説明】
【００８３】
１  チャートデータ生成装置
２  画像形成装置
２５  特性データ
３４  変換データ
【図１】
2015070398.tif 000003
【図２】
2015070398.tif 000004
【図３】
2015070398.tif 000005
【図４】
2015070398.tif 000006
【図５】
2015070398.tif 000007
【図６】
2015070398.tif 000008
【図７】
2015070398.tif 000009
【図８】
2015070398.tif 000010
【図９】
2015070398.tif 000011